【手続補正書】
【提出日】平成18年8月31日(2006.8.31)
【手続補正１】
【補正対象書類名】明細書
【補正対象項目名】特許請求の範囲
【補正方法】変更
【補正の内容】
【特許請求の範囲】
【請求項１】  先行の用紙と後続の用紙を重ね合わせて搬送する重ね合わせ搬送手段と、
用紙をスタックするためのスタックトレイと、
スタックトレイ上にスタックされた用紙束に所定の処理を施す用紙処理手段と、
この用紙処理手段によって処理された用紙を排出する用紙排出手段と、
を備えた用紙処理装置において、
前記重ね合わせ搬送手段により重ね合わせて搬送される先行の用紙と後続の用紙の搬送方向の長さの異同に応じて重ね合わせ搬送を行うか否かの選択が行われることを特徴とする用紙処理装置。
【請求項２】  前記重ね合わせ搬送手段は用紙をプレスタックするプレスタック部と、用紙を停止させることなく搬送する通常搬送部とを備え、前記重ね合わせ搬送手段によって用紙を重ね合わせて搬送する場合、前記プレスタック部に先行の用紙を導いてプレスタックし、次いで前記通常搬送部に後続の用紙を導き、後続の搬送に合わせて先行の用紙をプレスタック部から送り出すことによって先行の用紙と後続の用紙を重ね合わせて搬送することを特徴とする請求項１記載の用紙処理装置。
【請求項３】  前記用紙の搬送方向の長さが同一のときに重ね合わせ搬送の選択が行われることを特徴とする請求項１記載の用紙の処理装置。
【請求項４】  搬送されてくる用紙のサイズを検知する検知手段を更に備え、前記検知手段によって検出された前記長さの異同に基づいて前記選択が行われることを特徴とする請求項１記載の用紙処理装置。
【請求項５】  前記長さの異同は、用紙のサイズと方向とに基づいて判断されることを特徴とする請求項１記載の用紙処理装置。
【請求項６】  前記長さの異同は、原稿のサイズ、原稿の方向、及び変倍率に基づいて判断されることを特徴とする請求項１記載の用紙処理装置。
【請求項７】  前記長さの異同は、用紙処理装置以外の外部装置から入力された情報に基づいて判断されることを特徴とする請求項５または６記載の用紙処理装置。
【請求項８】  前記長さの異同は、画像形成装置で設定されたモード情報に基づいて判断されることを特徴とする請求項５または６記載の用紙処理装置。
【請求項９】  前記長さの異同情報により、１部目の全ての用紙の搬送方向の長さが同一であった場合に、前記選択手段は複数ジョブの２部目以降は重ね合わせ搬送を選択することを特徴とする請求項１、４、５、６、７及び８のいずれか１項に記載の用紙処理装置。
【請求項１０】  前記長さの異同情報により、１枚目、２枚目の用紙が同一であった場合、前記選択手段は３枚目以降の用紙サイズが異なっていても、複数ジョブの２部目以降は重ね合わせ搬送を選択することを特徴とする請求項１、４、５、６、７及び８のいずれか１項に記載の用紙処理装置。
【請求項１１】  前記スタックトレイ上で用紙の搬送方向に直交する方向の紙揃えを行う手段をさらに備えていることを特徴とする請求項１記載の用紙処理装置。
【請求項１２】  前記スタックトレイ上で用紙の搬送方向の紙揃えを行う手段をさらに備えていることを特徴とする請求項１記載の用紙処理装置。
【請求項１３】  前記用紙処理手段が用紙をスティプルするためのスティプル手段からなるとともに、
前記用紙排出手段が束ねられた用紙の下端を持ち上げて放出する放出爪と、この放出爪を上方に移動させる移動手段とからなり、
前記放出爪を反放出方向に駆動し、放出爪の背面によって前記スタックトレイ上での用紙の搬送方向の揃え動作を行わせる揃え制御手段をさらに備えていることを特徴とする特徴とする請求項１記載の用紙処理装置。
【請求項１４】  請求項１ないし１３のいずれか１項に記載の用紙処理装置を備えていることを特徴とする画像形成装置。
【請求項１５】  請求項１ないし１３のいずれか１項に記載の用紙処理装置と、
入力される画像情報に基づいて用紙に画像を形成する画像形成手段及びこの画像形成手段によって画像形成された用紙を前記用紙処理装置側に導く手段とを備えた画像形成装置と、
からなることを特徴とする画像形成システム。
【請求項１６】  前記用紙処理装置と前記画像形成装置とが通信手段を介して電気的に接続され、前記長さの異同情報が前記画像形成装置側から前記用紙処理装置側に送信されることを特徴とする請求項１５記載の画像形成システム。
【請求項１７】  前記画像形成装置に重ね合わせ搬送を禁止するモードを設定する入力手段を設けたことを特徴とする請求項１５記載の画像形成システム。
【請求項１８】  前記入力手段がタッチパネルあるいはキー入力手段からなることを特徴とする請求項１７記載の画像形成装置。
【請求項１９】  前記重ね合わせ搬送を禁止するモードが用紙搬送方向のサイズが異なる用紙を混載したモードであることを特徴とする請求項１７記載の画像形成システム。
【請求項２０】  前記重ね合わせ搬送を禁止するモードが、オペレータが圧板に１枚々々用紙を載せて画像形成を行わせる圧板モードであることを特徴とする請求項１７記載の画像形成システム。
【請求項２１】  オペレータが圧板に１枚々々用紙を載せて画像形成を行わせる圧板モードで用紙処理としてスティプルを行う場合、前記選択手段は１部目の用紙については重ね合わせ搬送を選択しないことを特徴とする請求項１５記載の画像形成システム。
【請求項２２】  オペレータが圧板に１枚々々用紙を載せて画像形成を行わせる圧板モードで用紙処理としてスティプルを行う場合、全ての用紙が同一サイズであった場合に、前記選択手段は、複数ジョブの２部目以降は重ね合わせ搬送を選択することを特徴とする請求項１５記載の画像形成システム。
【請求項２３】  オペレータが圧板に１枚々々用紙を載せて画像形成を行わせる圧板モードで用紙処理としてスティプルを行う場合、１枚目、２枚目の用紙が同一であった場合、前記選択手段は３枚目以降の用紙サイズが異なっていても、複数ジョブの２部目以降は重ね合わせ搬送を選択することを特徴とする請求項１５記載の画像形成システム。
【請求項２４】  前記請求項４記載の用紙処理装置と、
入力される画像情報に基づいて用紙に画像を形成する画像形成手段及びこの画像形成手段によって画像形成された用紙を前記用紙処理装置側に導く用紙搬送手段とを備えた画像形成装置と、
を備え、前記用紙処理装置と前記画像形成装置とが電気的に独立し、前記用紙処理装置は前記検知手段によって検出された長さの異同情報に基づいて重ね合わせ搬送を行うか否かを選択することを特徴とする画像形成システム。
【請求項２５】  前記用紙処理装置は１ジョブ目の２枚目の用紙が１枚目の用紙と用紙搬送方向の長さが異なっていることが分かった時点で重ね合わせ搬送を行わないで、用紙を順次排出することを特徴とする請求項２４記載の画像形成システム。
【請求項２６】  前記用紙処理装置は２ジョブ目以降については、スタックトレイにスタックされた前ジョブの用紙束と次ジョブの１枚目の用紙が干渉しないタイミングで前記１枚目の用紙の搬送タイミングを遅らせることを特徴とする請求項２４記載の画像形成システム。
【請求項２７】  前記干渉しないタイミングは、処理モード、用紙の搬送方向長さ、及び綴じ枚数の少なくとも１つの要素に基づいて設定されることを特徴とする請求項２６記載の画像形成システム。
【請求項２８】  通過するシートを重ね合わせて搬送することができるプレスタック部と、このプレスタック部から送られたシートに後処理を施す後処理部とを有し、前記プレスタック部は、前記後処理部に待ち時間が必要な場合、前記プレスタック部に送られる先行シートとこの先行シートに続く後続シートとのシート搬送方向長さが同じときは少なくとも先行シートと後続シートとの２枚のシートを重ね合わせ、先行シートと後続シートのシート搬送方向長さが異なるときは先行シートと後続シートとの重ね合わせを禁止して１枚ずつ通過させるよう制御されることを特徴とする用紙処理装置。
【請求項２９】   画像形成装置本体と、この画像形成装置本体に接続された用紙処理装置とを具備し、前記用紙処理装置は、前記画像形成装置本体から送られたシートを重ね合わせて搬送することができるプレスタック部と、このプレスタック部から送られたシートに後処理を施す後処理部とを有してなる画像形成装置において、
前記後処理部に待ち時間が必要な場合、先行シートとこの先行シートに続く後続シートとのシート搬送方向長さが同じときは、前記画像形成装置本体で排出タイミングを遅らせることなく、かつ前記プレスタック部で少なくとも先行シートと後続シートとの２枚のシートを重ね合わせ、先行シートと後続シートのシート搬送方向長さが異なるときは、前記画像形成装置本体で排出タイミングを遅らせて、かつ前記重合部で先行シートと後続シートとを重ね合わせを禁止して１枚ずつ通過させるよう制御することを特徴とする画像形成装置。
【手続補正２】
【補正対象書類名】明細書
【補正対象項目名】００２３
【補正方法】変更
【補正の内容】
【００２３】
その際、前記用紙処理装置は１ジョブ目の２枚の用紙が１枚目の用紙と用紙搬送方向の長さが異なっていることが分かった時点で重ね合わせ搬送を行わないで、用紙を順次排出する。また、前記用紙処理装置は２ジョブ目以降については、スタックトレイにスタックされた前ジョブの用紙束と次ジョブの１枚目の用紙が干渉しないタイミングまで前記１枚目の用紙の搬送タイミングを遅らせるようにする。なお、前記干渉しないタイミングとは、処理モード、用紙の搬送方向長さ、及び綴じ枚数の少なくとも１つの要素に基づいて設定される。
また、通過するシートを重ね合わせて搬送することができるプレスタック部と、このプレスタック部から送られたシートに後処理を施す後処理部とを有し、前記プレスタック部は、前記後処理部に待ち時間が必要な場合、前記プレスタック部に送られる先行シートとこの先行シートに続く後続シートとのシート搬送方向長さが同じときは少なくとも先行シートと後続シートとの２枚のシートを重ね合わせ、先行シートと後続シートのシート搬送方向長さが異なるときは先行シートと後続シートとの重ね合わせを禁止して１枚ずつ通過させるよう制御しても良い。
更に、 画像形成装置本体と、この画像形成装置本体に接続された用紙処理装置とを具備し、前記用紙処理装置は、前記画像形成装置本体から送られたシートを重ね合わせて搬送することができるプレスタック部と、このプレスタック部から送られたシートに後処理を施す後処理部とを有してなる画像形成装置において、前記後処理部に待ち時間が必要な場合、先行シートとこの先行シートに続く後続シートとのシート搬送方向長さが同じときは、前記画像形成装置本体で排出タイミングを遅らせることなく、かつ前記プレスタック部で少なくとも先行シートと後続シートとの２枚のシートを重ね合わせ、先行シートと後続シートのシート搬送方向長さが異なるときは、前記画像形成装置本体で排出タイミングを遅らせて、かつ前記重合部で先行シートと後続シートとを重ね合わせを禁止して１枚ずつ通過させるよう制御することもできる。